(57)【要約】【課題】  携帯電子機器を外部の衝撃などから保護することができ、また、携帯電子機器の付属機器使用時の操作が容易であり、しかも、構造が簡単である。【解決手段】  本発明は、表部材３と、裏部材４と、連結部材５と、を備える。裏部材４の内面に固定部材としての接着剤６を設ける。裏部材４に開口部４０を設ける。表部材３に覆部材７を設ける。この結果、本発明は、携帯電子機器を外部の衝撃などから保護することができ、また、携帯電子機器の付属機器使用時の操作が容易であり、しかも、構造が簡単である。【選択図】        図１
2019134381.tif 000002
【特許請求の範囲】
【請求項１】
表面にディスプレイを有し、裏面にカメラを有する携帯電子機器に用いるケースにおいて、
前記携帯電子機器の前記表面を覆う表部材と、
前記携帯電子機器の前記裏面を覆う裏部材と、
前記表部材と前記裏部材とを折り畳み可能に連結した連結部材と、
を備え、
前記表部材と前記裏部材とを折り畳んだ時に相互に対向する前記表部材の面と前記裏部材の面とを内側面とし、
前記裏部材の前記内側面には、前記携帯電子機器の前記裏面を固定する固定部材が設けられていて、
前記裏部材の一部には、前記固定部材により固定された前記携帯電子機器の前記カメラが露出する開口部が設けられていて、
前記表部材または前記裏部材には、前記開口部を開閉可能に覆う覆部材が設けられている、
ことを特徴とする携帯電子機器用ケース。
【請求項２】
前記覆部材は、前記表部材に開閉可動に設けられていて、
前記裏部材と前記覆部材とには、前記覆部材で前記開口部を覆って閉じた状態、および、前記表部材と前記裏部材とを折り畳んだ状態をロックするロック部材がそれぞれ設けられている、
ことを特徴とする請求項１に記載の携帯電子機器用ケース。
【請求項３】
前記内側面に対して反対側の面を外側面とし、
前記覆部材は、前記裏部材の前記外側面に、前記外側面に対して垂直な軸回りに回転可能に設けられている、
ことを特徴とする請求項１に記載の携帯電子機器用ケース。
【発明の詳細な説明】
【技術分野】
【０００１】
本発明は、カメラを有するスマートフォンなどの携帯電子機器に用いるケースに関する。
【背景技術】
【０００２】
携帯電子機器用ケースとしては、例えば、以下の特許文献１、特許文献２がある。
【０００３】
特許文献１の機器のカバーは、裏面カバー片と、表面カバー片と、裏面カバー片と表面カバー片を折り畳み自在に繋げた連接部と、を備え、裏面カバー片に吸盤と横長の窓とをそれぞれ設けたものである。
【０００４】
特許文献１の機器のカバーは、機器の裏面に設けられているカメラ部、発光部、受光部を裏面カバー片の横長の窓に位置させた状態で、裏面カバー片の吸盤に機器の裏面を着脱自在に装着する。特許文献１の機器のカバーは、表面カバー片と裏面カバー片とを折り畳んで閉じることにより、機器の裏面および表面を裏面カバー片および表面カバー片で覆って保護することができる。また、特許文献１の機器のカバーは、表面カバー片と裏面カバー片とを開くことにより、機器の裏面を裏面カバー片で覆ったままの状態で、機器のカメラ部、発光部、受光部を使用することができる。
【０００５】
特許文献１の機器のカバーは、裏面カバー片に横長の窓を設けたので、カメラ部、発光部、受光部の配置が機器によって異なっていても、機器のカメラ部、発光部、受光部を裏面カバー片の横長の窓に位置させることができる。これにより、特許文献１の機器のカバーは、カメラ部、発光部、受光部の配置が異なっている大半の機器に対応することができる。
【０００６】
特許文献２の張財布は、一側面と、他側面と、一側面と他側面とを折り畳み可能に連結した折り畳み面と、を備え、他側面のスライド空間にスライド板をスライド可能に設け、スライド板に接着面を付着し、他側面に開口部を形成し、接着面が開口部においてスライド板のスライドに伴ってスライドするものである。
【０００７】
特許文献２の張財布は、接着面にスマートフォンを接着し、一側面と他側面とを折り畳んで閉じることにより、スマートフォンを一側面および他側面で覆って保護することができ、しかも、財布として使用することができる。また、特許文献２の張財布は、一側面と裏面カバー片とを開いて、スマートフォンをスライド板と共に他側面に対してスライドさせて、スマートフォンのカメラを他側面から露出させることにより、スマートフォンのカメラを使用することができる。
【０００８】
特許文献２の張財布は、一側面および他側面にスマートフォンが露出する開口部などが設けられていないので、財布として使用することができ、また、スマートフォンの保護部材としても、使用することができる。
【先行技術文献】
【特許文献】
【０００９】
【特許文献１】実用新案登録第３１９２６１５号公報
【特許文献２】実用新案登録第３２０４８５６号公報
【発明の概要】
【発明が解決しようとする課題】
【００１０】
しかしながら、特許文献１の機器のカバーは、機器のカメラ部、発光部、受光部が裏面カバー片の窓から露出したままの状態であるから、機器のカメラ部、発光部、受光部を外部からの衝撃などから保護することができない。すなわち、特許文献１の機器のカバーは、機器を外部の衝撃などから保護する本来の目的を達成することができない。
【００１１】
また、特許文献２の張財布は、一側面および他側面にスマートフォンが露出する開口部などが設けられていないので、スマートフォンのカメラを使用する場合には、スマートフォンをスライド板と共に他側面に対してスライドさせる必要があり、しかも、他側面にスライド板をスライド可能に設ける必要がある。このように、特許文献２の張財布は、スマートフォンのカメラ使用時のスライド操作が面倒であり、しかも、スライド構造が複雑である。
【００１２】
本発明が解決しようとする課題は、カメラの位置が異なるあらゆる機種の携帯電子機器に対応することができ、携帯電子機器を外部の衝撃などから保護することができ、また、携帯電子機器の付属機器使用時の操作が容易であり、しかも、構造が簡単である携帯電子機器用ケースを提供することにある。
【課題を解決するための手段】
【００１３】
本発明の携帯電子機器用ケースは、表面にディスプレイを有し、裏面にカメラを有する携帯電子機器に用いるケースにおいて、携帯電子機器の表面を覆う表部材と、携帯電子機器の裏面を覆う裏部材と、表部材と裏部材とを折り畳み可能に連結した連結部材と、を備え、表部材と裏部材とを折り畳んだ時に相互に対向する表部材の面と裏部材の面とを内側面とし、裏部材の内側面には、携帯電子機器の裏面を固定する固定部材が設けられていて、裏部材の一部には、固定部材により固定された携帯電子機器のカメラが露出する開口部が設けられていて、表部材または裏部材には、開口部を開閉可能に覆う覆部材が設けられている、ことを特徴とする。
【００１４】
本発明の携帯電子機器用ケースは、覆部材が、表部材に開閉可動に設けられていて、裏部材と覆部材とには、覆部材で開口部を覆って閉じた状態、および、表部材と裏部材とを折り畳んだ状態をロックするロック部材がそれぞれ設けられている、ことが好ましい。
【００１５】
本発明の携帯電子機器用ケースは、内側面に対して反対側の面を外側面とし、覆部材が、裏部材の外側面に、外側面に対して垂直な軸回りに回転可能に設けられている、ことが好ましい。
【発明の効果】
【００１６】
本発明の携帯電子機器用ケースは、カメラの位置が異なるあらゆる機種の携帯電子機器に対応することができ、携帯電子機器を外部の衝撃などから保護することができ、また、携帯電子機器の付属機器使用時の操作が容易であり、しかも、構造が簡単である。
【図面の簡単な説明】
【００１７】
【図１】図１は、本発明の実施形態１に係る携帯電子機器用ケースを示す表側部分と裏側部分とを開いた状態の内側の斜視図である。
【図２】図２は、スマートフォンを固定した状態でかつ表側部分と裏側部分とを開いた状態を示す内側の斜視図である。
【図３】図３は、スマートフォンを固定した状態でかつ表側部分と裏側部分とを開いた状態を示す外側の斜視図である。
【図４】図４は、表側部分と裏側部分とを折り畳んだ状態でかつ覆部材を開いた状態を示す斜視図である。
【図５】図５は、表側部分と裏側部分とを折り畳んだ状態でかつ覆部材を閉じた状態を示す斜視図である。
【図６】図６は、表側部分と裏側部分とを展開した状態でかつ覆部材を開いた状態を示す正面図である。
【図７】図７は、一部断面図である。（Ａ）は、図６におけるＶＩＩＡ−ＶＩＩＡ線断面図である。（Ｂ）は、図６におけるＶＩＩＢ−ＶＩＩＢ線断面図である。
【図８】図８は、本発明の実施形態２に係る携帯電子機器用ケースを示し、表側部分と裏側部分とを折り畳んだ状態でかつ覆部材を開いた状態の斜視図である。
【図９】図９は、表側部分と裏側部分とを折り畳んだ状態でかつ覆部材を閉じた状態を示す斜視図である。
【図１０】図１０は、図９におけるＸ−Ｘ線断面図である。
【発明を実施するための形態】
【００１８】
以下、本発明に係る携帯電子機器用ケースの実施形態（実施例）の２例について図面を参照しながら詳細に説明する。なお、この明細書において、上、下、左、右とは、携帯電子機器（例えば、スマートフォンなど）を使用する時の携帯電子機器（例えば、スマートフォンなど）の上、下、左、右を言う。
【００１９】
（実施形態１の構成の説明）
図１〜図７は、本発明に係る携帯電子機器用ケースの実施形態１を示す。以下、この実施形態１に係る携帯電子機器用ケース１の構成について説明する。
【００２０】
（携帯電子機器用ケース１の説明）
携帯電子機器用ケース１は、図１〜図５に示すように、携帯電子機器、この例では、スマートフォン２を覆って保護するものである。携帯電子機器用ケース１は、図１〜図７に示すように、表部材３と、裏部材４と、連結部材５と、固定部材６と、覆部材７と、を有する。
【００２１】
（スマートフォン２の説明）
スマートフォン２は、通常のスマートフォンであって、図１〜図４に示すように、ディスプレイ２０、スピーカ２１、マイク２２、カメラ２３、発光素子２４、受光素子（図示せず）などの付属機器を有する。
【００２２】
例えば、ディスプレイ２０、スピーカ２１、マイク２２は、スマートフォン２の表面２５側に設けられている。一方、カメラ２３、発光素子２４は、スマートフォン２の裏面２６側で、かつ、スマートフォン２の上側の部分に設けられている。
【００２３】
（表部材３、裏部材４および連結部材５の説明）
表部材３は、スマートフォン２の表面２５を覆って保護する。裏部材４は、スマートフォン２の裏面２６を覆って保護する。表部材３および裏部材４の形状は、長方形形状のスマートフォン２よりも一回り大きい長方形形状をなす。連結部材５は、表部材３と裏部材４とを折り畳み可能に連結する。連結部材５は、縦長の短冊形状をなす。連結部材５の幅は、スマートフォン２の厚さよりも大きい。
【００２４】
ここで、表部材３と裏部材４とを折り畳んだ時に相互に対向する表部材３の面および裏部材４の面を内側面とする。また、内側面に対して反対側の面を外側面とする。すなわち、表部材３の内側面および裏部材４の内側面に対して反対側の面を、表部材３の外側面および裏部材４の外側面とする。
【００２５】
図６、図７（Ａ）に示すように、表部材３には、第１収納部３１と第２収納部３２とがそれぞれ設けられている。また、図１、図２、図６、図７（Ａ）に示すように、表部材３の内側面には、第１収納口３３と第２収納口３４とがそれぞれ設けられている。第１収納部３１と第１収納口３３とは、相互に連通している。第２収納部３２と第２収納口３４とも、相互に連通している。
【００２６】
（固定部材６の説明）
図１、図６、図７（Ｂ）に示すように、裏部材４の内側面には、縦長の長方形形状の固定部材６が設けられている。固定部材６は、裏部材４の中央部分から下側部分にかけての箇所に設けられている。これにより、固定部材６は、スマートフォン２の裏側２６でかつ上側に位置するカメラ２３に対向しない。固定部材６は、この例では、接着剤（以下、「固定部材」を「接着剤」と称する）である。なお、接着剤６は、縦長の長方形形状以外の形状であっても良い。また、接着剤６もしくは裏部材４の内側面に、スマートフォン２の固定位置を表示する目印（例えば、格子模様、ストライプ模様などの目印）を、プリントなどで設けても良い。
【００２７】
接着剤６の表面には、剥離フィルム６０が剥離可能に設けられている。この剥離フィルム６０を接着剤６から剥離させて、その接着剤６の表面にスマートフォン２の裏面２６を接着する。これにより、スマートフォン２は、裏部材４の内側面に固定される。なお、固定部材６としては、前記の接着剤６以外のものであっても良い。例えば、吸盤、弾性嵌合部を有するホルダなどであっても良い。
【００２８】
（開口部４０の説明）
図１、図３、図４、図６に示すように、裏部材４の接着剤６よりも上側の部分には、開口部４０が設けられている。これにより、開口部４０は、スマートフォン２の裏側２６でかつ上側に位置するカメラ２３に対向する。この結果、接着剤６で固定されたスマートフォン２の裏面２６側のカメラ２３、発光素子２４は、裏部材４の開口部４０から外に露出する。開口部４０は、横長の長方形形状をなす。これにより、開口部４０は、カメラ２３、発光素子２４の配置が異なっているあらゆる機種のスマートフォン２に対応することができる。
【００２９】
スマートフォン２を接着剤６を介して裏部材４の内側面に固定する時に、カメラ２３、発光素子２４の位置を開口部４０に合わせる。これにより、開口部４０を介してカメラ２３、発光素子２４を外部に露出させることができる。なお、開口部４０の内周面には、枠材４１（図１０を参照）が設けられている。
【００３０】
（覆部材７の説明）
図１〜図６に示すように、開口部４０が設けられていない表部材３には、覆部材７が開閉可動に設けられている。覆部材７は、覆部７０と、可動部７１と、ロック部７２と、を有する。覆部７０は、開口部４０を開閉可能に覆う。すなわち、覆部７０は、開口部４０よりも一回り大きい横長の長方形形状をなす。
【００３１】
覆部７０の一側には、可動部７１が一体に設けられている。可動部７１は、覆部７０を開閉させるために、肉薄でフレキシブル性を有する。可動部７１は、表部材３の上側縁に一体に設けられている。これにより、覆部７０が可動部７１を介して開口部４０を開閉可能に覆うことができる。
【００３２】
（ロック部材の説明）
裏部材４の開口部４０の下側縁には、ロック部材としての金属板４２が内包されている。また、覆部７０の他側に一体に設けられているロック部７２には、ロック部材としての磁石７３が内包されている。ロック部材は、裏部材４の金属板４２と覆部７０のロック部７２の磁石７３とを密着させることにより、覆部材７が裏部材４にロックされ、覆部材７で開口部４０を覆って閉じた状態、および、表部材３と裏部材４とを折り畳んだ状態をロックする。
【００３３】
（携帯電子機器用ケース１の製造の説明）
携帯電子機器用ケース１の表部材３、裏部材４および連結部材５は、内側地材８０と外側地材８１とを縫製してなる。なお、図中の符号「８４」は、縫製の縫目を示す。内側地材８０は、表部材３、裏部材４および連結部材５の内側面をなす。外側地材８１は、表部材３、裏部材４および連結部材５の外側面をなす。
【００３４】
表部材３の内側地材８０と外側地材８１との間には、表側芯材８２、第１収納材８５および第２収納材８６が挟み込まれている。裏部材４の内側地材８０と外側地材８１との間には、裏側芯材８３が挟み込まれている。連結部材５の内側地材８０と外側地材８１との間には、補強材８７が挟み込まれている。補強材８７は、連結部材５の上下両端部に設けられている。なお、表側芯材８２、裏側芯材８３、第１収納材８５、第２収納材８６および補強材８７は、設けなくても良い。
【００３５】
（実施形態１の作用の説明）
この実施形態１に係る携帯電子機器用ケース１は、以上のごとき構成からなり、以下、この実施形態１に係る携帯電子機器用ケース１の作用について説明する。
【００３６】
まず、図１に示す携帯電子機器用ケース１の剥離フィルム６０を接着剤６から剥がす。つぎに、図１、図２に示すように、スマートフォン２の裏面２６の中央部分から下側部分にかけての箇所を携帯電子機器用ケース１の接着剤６に接着する。これにより、スマートフォン２は、接着剤６を介して携帯電子機器用ケース１の裏部材４の内側面（内側地材８０）に固定され、かつ、スマートフォン２の裏面２６側でかつ上側に位置するカメラ２３、発光素子２４は、携帯電子機器用ケース１の裏部材４の開口部４０に位置する。
【００３７】
携帯電子機器用ケース１の表部材３と裏部材４とを連結部材５を介して折り畳んで、表部材３でスマートフォン２の表面２５を覆う（図４を参照）。かつ、表部材３側の覆部材７の覆部７０を可動部７１を介して裏部材４側に閉じて、覆部７０で開口部４０を覆う（図５を参照）。これにより、スマートフォン２の表面２５、裏面２６および一側面は、携帯電子機器用ケース１の表部材３、裏部材４、覆部材７および連結部材５で覆われて保護される。かつ、スマートフォン２のカメラ２３、発光素子２４は、携帯電子機器用ケース１の覆部材７で覆われて保護される。
【００３８】
この時、ロック部材の覆部材７のロック部７２の磁石７３と裏部材４の金属板４２とを密着させることにより、覆部材７が裏部材４にロックされる。この結果、覆部材７で開口部４０を閉じた状態、および、表部材３と裏部材４とを折り畳んだ状態をロックすることができる。これにより、スマートフォン２が携帯電子機器用ケース１で覆われていて保護されている状態を維持することができる。
【００３９】
スマートフォン２を使用する場合は、携帯電子機器用ケース１の覆部材７と裏部材４とのロック状態を、磁石７３と金属板４２との密着力よりも大きい力で解除する。携帯電子機器用ケース１の覆部材７を裏部材４から開き、かつ、表部材３と裏部材４とを連結部材５を介して開くことにより、スマートフォン２を使用することができる。
【００４０】
この時、スマートフォン２のカメラ２３、発光素子２４が携帯電子機器用ケース１の開口部４０から露出しているので、スマートフォン２のカメラ２３をも使用することができる。
【００４１】
（実施形態１の効果の説明）
この実施形態１に係る携帯電子機器用ケース１は、以上のごとき構成、作用からなり、以下、この実施形態１に係る携帯電子機器用ケース１の効果について説明する。
【００４２】
この実施形態１に係る携帯電子機器用ケース１は、携帯電子機器用ケース１の裏部材４に、スマートフォン２のカメラ２３が露出する開口部４０を、設けたものである。この結果、この実施形態１に係る携帯電子機器用ケース１は、開口部４０を大きさにすることにより、カメラ２３の配置がスマートフォン２の機種によって異なっていても、カメラ２３を開口部４０に位置させることができる。これにより、この実施形態１に係る携帯電子機器用ケース１は、カメラ２３の配置が異なっているあらゆる機種のスマートフォン２に対応することができる。
【００４３】
この実施形態１に係る携帯電子機器用ケース１は、裏部材４にスマートフォン２のカメラ２３、発光素子２４が露出する開口部４０を設け、表部材３に開口部４０を開閉可能に覆う覆部材７を設けたものである。この結果、この実施形態１に係る携帯電子機器用ケース１は、覆部材７で開口部４０を閉じることにより、覆部材７でスマートフォン２のカメラ２３、発光素子２４を覆って外部の衝撃などから保護することができる。
【００４４】
その上、この実施形態１に係る携帯電子機器用ケース１は、スマートフォン２の表面２５を覆う表部材３と、スマートフォン２の裏面２６を覆う裏部材４と、表部材３と裏部材４とを折り畳み可能に連結した連結部材５と、を備えるものである。この結果、この実施形態１に係る携帯電子機器用ケース１は、表部材３と裏部材４とを連結部材５を介して折り畳んで、覆部材７で開口部４０を閉じることにより、スマートフォン２を表部材３、裏部材４、連結部材５および覆部材７で覆って外部の衝撃などから保護することができる。
【００４５】
また、この実施形態１に係る携帯電子機器用ケース１は、覆部材７を裏部材４から開いてスマートフォン２のカメラ２３、発光素子２４を裏部材４の開口部４０から露出させ、かつ、表部材３と裏部材４とを連結部材５を介して開くことにより、スマートフォン２およびカメラ２３を簡単に使用することができる。この結果、この実施形態１に係る携帯電子機器用ケース１は、スマートフォン２の付属機器であるカメラ２３の使用時の操作が容易である。
【００４６】
しかも、この実施形態１に係る携帯電子機器用ケース１は、裏部材４に開口部４０を設け、表部材３に覆部材７を設けたものであるから、構造が簡単である。
【００４７】
この実施形態１に係る携帯電子機器用ケース１は、覆部材７のロック部７２にロック機構の磁石７３を設け、裏部材４にロック機構の金属板４２を設けたものである。この結果、この実施形態１に係る携帯電子機器用ケース１は、覆部材７のロック部７２の磁石７３と裏部材４の金属板４２とを密着させて、覆部材７を裏部材４にロックさせることができる。これにより、この実施形態１に係る携帯電子機器用ケース１は、表部材３と裏部材４との折り畳まれた状態（閉じた状態）を維持することができ、スマートフォン２を携帯電子機器用ケース１で覆われていて保護されている状態を維持することができる。
【００４８】
（実施形態２の構成、作用、効果の説明）
図８〜図１０は、本発明に係る携帯電子機器用ケースの実施形態２を示す。以下、この実施形態２に係る携帯電子機器用ケース１Ａの構成、作用、効果について説明する。図中、図１〜図７と同符号は、同一の物を示す。
【００４９】
前記の実施形態１に係る携帯電子機器用ケース１は、開口部４０が設けられていない表部材３に覆部材７を設けたものである。これに対して、この実施形態２に係る携帯電子機器用ケース１Ａは、開口部４０が設けられている裏部材４の外側面に覆部材７Ａを、外側面に対して垂直な軸７７回りに回転可能に設けたものである。
【００５０】
すなわち、覆部材７Ａは、覆部７４と、取付部７５と、取付ピン７６と、を有する。覆部７４は、開口部４０を開閉可能に覆う。すなわち、覆部７４は、開口部４０よりも一回り大きい横長の長方形形状をなす。覆部７４の一側には、取付部７５が一体に設けられている。取付部７５は、裏部材４の外側面の外側地材８１に、取付ピン７６により、外側面に対して垂直な軸７７すなわち取付ピン７６の軸回りに回転可能に取り付けられている。
【００５１】
この実施形態２に係る携帯電子機器用ケース１Ａは、以上のごとき構成からなるので、覆部７４を取付ピン７６の軸７７回りに回転させることにより、覆部７４で開口部４０を覆って閉じることができる（図９を参照）。また、覆部７４を開口部４０から外して開口部４０を開放させることで、スマートフォン２のカメラ２３、発光素子２４を携帯電子機器用ケース１Ａの開口部４０から露出させることができる。
【００５２】
この実施形態２に係る携帯電子機器用ケース１Ａは、以上のごとき構成、作用からなるので、前記の実施形態１に係る携帯電子機器用ケース１の効果とほぼ同様の効果を達成することができる。
【００５３】
（実施形態１、２以外の例の説明）
なお、前記の実施形態１においては、ロック部材が、裏部材４に内包されている金属板４２と、覆部材７のロック部７２に内包されている磁石７３と、からなるものである。しかしながら、本発明においては、ロック部材として、金属板４２および磁石７３以外のものであっても良い。例えば、凹凸を着脱可能に嵌合させるボタン型のロック部材、テープ状の係合片を着脱可能に係合させるテープ型のロック部材などであっても良い。
【００５４】
また、前記の実施形態２において、裏部材４と覆部材７Ａとにロック部材を設けて、覆部材７Ａで開口部４０を覆って閉じた状態をロックするものであっても良い。ロック部材としては、実施形態１の磁石と金属板との組み合わせのロック部材、あるいは、前記の凹凸を着脱可能に嵌合させるボタン型のロック部材、テープ状の係合片を着脱可能に係合させるテープ型のロック部材などがある。
【００５５】
なお、本発明は、前記の実施形態により限定されるものではない。特に、携帯電子機器用ケース１、１Ａの大きさ、形状および材質などは、特に限定しない。
【符号の説明】
【００５６】
１、１Ａ…携帯電子機器用ケース
２…スマートフォン（携帯電子機器）
２０…ディスプレイ（付属機器）
２１…スピーカ（付属機器）
２２…マイク（付属機器）
２３…カメラ（付属機器）
２４…発光素子（付属機器）
２５…表面
２６…裏面
３…表部材
３１…第１収納部
３２…第２収納部
３３…第１収納口
３４…第２収納口
４…裏部材
４０…開口部
４１…枠材
４２…金属板（ロック部材）
５…連結部材
６…接着剤（固定部材）
６０…剥離フィルム
７、７Ａ…覆部材
７０…覆部
７１…可動部
７２…ロック部
７３…磁石（ロック部材）
７４…覆部
７５…取付部
７６…取付ピン
７７…軸
８０…内側地材（内側面）
８１…外側地材（外側面）
８２…表側芯材
８３…裏側芯材
８４…縫目
８５…第１収納材
８６…第２収納材
８７…補強材
【図１】
2019134381.tif 000003
【図２】
2019134381.tif 000004
【図３】
2019134381.tif 000005
【図４】
2019134381.tif 000006
【図５】
2019134381.tif 000007
【図６】
2019134381.tif 000008
【図７】
2019134381.tif 000009
【図８】
2019134381.tif 000010
【図９】
2019134381.tif 000011
【図１０】
2019134381.tif 000012